(57)【要約】【課題】財布の種類によらず，財布に何らの加工も必要とせず，着脱自在な構造で，財布の滑り落ちによる紛失や，抜き取りによる盗難を完全に防止する財布ホルダーを提供する。【解決手段】薄く，軽く，折り曲げ易い材質で形成され，紙幣と同等以下のサイズで，複数のストラップ留めを備え，ストラップの一端をストラップ留めに繋ぎ，他端に取り付けられているロック機構を着衣に連結することで，財布の種類によらず，財布に何らの加工もせず，着脱自在で，財布の滑り落ちや抜き取りを防止する財布ホルダー。【選択図】図１
0003128094.tif 000002
【実用新案登録請求の範囲】
【請求項１】
紙幣と同程度のサイズで，薄く，軽く，容易に折り曲げられる材質で構成されるとともに，複数のストラップ留めを有するホルダーベースを備え，該ストラップ留めにストラップの一端を繋ぎ，財布の紙幣入れに挿入して，ストラップの他端に取り付けられるロック機構を着衣に連結することで，財布の紛失および盗難を防止する着脱可能な財布ホルダー。
【考案の詳細な説明】
【考案の詳細な説明】
【考案の技術分野】
【０００１】本考案は財布の滑り落ちによる紛失や，抜き取りによる盗難を防止する財布ホルダーに関する。
【背景技術】
【０００２】財布は洋服のポケットやバッグなどに入れて携帯することが多いが，ポケットからの滑り落ちによる紛失や，抜き取りにより盗難に合う危険も多い。この様なトラブルを防止するために，ズボンのベルトに連結可能なチェーンなどを付けた財布や，クレジットカードサイズのカードの角にストラップを付けて財布のカード入れにカードを挿入して，ストラップをポケットなどに固定する方法などが提案されている。しかし，財布にチェーンなどを付ける方法は，チェーンによって財布が取り扱い難くなるとともに，財布の加工が必要となるなどの欠点を有している。また，ストラップを取り付けたカードをカード入れに挿入する方法は，財布の全てにカード入れが付いているとは限らないとともに，個人が所有するカード枚数は次第に多くなりカード入れが足りなくなる傾向が強く，実際のカード以外にカード入れを使用する余裕は乏しい。さらに，財布の種類によっては，カード入れが直接財布の外を向いている例もあり，ストラップを引っ張った場合にカードが財布から脱落することも有るなど，種々の課題を抱えていおり，実用には難がある。
【考案が解決しようとする課題】
【０００３】特に財布をズボンの後ろポケットに収納している場合などは，立ったり座ったりする際に財布がポケットから滑り落ちる危険が高いとともに，背後から抜き取られ易い危険を有している。本考案は財布をポケットに入れた状態では，ストラップに取り付けられたロック機構により着衣にしっかりと連結されるため，滑り落ちが防がれるとともに，財布が抜き取られそうになった場合は，所持者が緊急事態を即座に認識して盗難を防止することが出来る。長財布も，二つ折り財布も，財布の種類にはよらず適用可能であり，財布にはなんらの加工も必要としない，新しい財布ホルダーを提案するものである。
【課題を解決しようとするための手段】
【０００４】財布の紙幣入れに挿入して使用するホルダーベース２は，薄く，軽く，折り曲げ易いビニール材などの材質で形成され，紙幣と同程度のサイズで，複数のストラップ留め３を備え，ストラップ４の一端をストラップ留めに繋ぎ，ストラップの他端に取り付けられているロック機構５を着衣に連結することで，長財布にも，二つ折り財布にも適用できるため，財布の滑り落ちによる紛失や抜き取りによる盗難を防止する新規な財布ホルダーを実現する。
【考案の効果】
【０００５】本考案は，ストラップ４が繋がれたホルダーベース２を財布の紙幣入れに挿入してポケットなどに入れて，ストラップのロック機構５を着衣に連結することで，財布が滑り落ちて紛失したり，抜き取られたりするトラブルを完全に防止する財布ホルダーを提供する。
【考案を実施するための最良の形態】
【０００６】以下，図を用いて本考案の実施形態を説明する。本考案の財布ホルダーは図１に示すように，薄く，軽く，折り曲げやすいビニール材などからなるホルダーベース２，ならびにロック機構５が取り付けられたストラップ４で構成され，この財布ホルダーを財布１の紙幣入れに挿入して使用する。【０００７】ホルダーベース２は図２に示すごとく，複数のストラップ留め３が配列され，ストラップ４の一端はこのストラップ留めに繋がれる。このストラップ留めのいずれにストラップを繋ぐかは，紙幣入れにホルダーベースを挿入した財布を着衣に連結させるときにストラップが財布から出る長さを決定する。また，ストラップ留めの間隔はストラップが財布から出る長さの調整ピッチを決定する。ホルダーベースを財布の紙幣入れに挿入する向きは自由に選択できるためストラップ留めは長辺の半分の長さ領域に配列されれば良い。【０００８】一般的に財布の紙幣入れは，その国で流通している紙幣サイズに最適な寸法で作られているため，日本では一万円に適合している場合が多い。したがってホルダーベース２のサイズに関しては，紙幣入れへの挿入を考慮すれば一万円札のサイズをやや下回る程度のサイズが望ましく，一例として７ｃｍ×１６ｃｍサイズとする。【０００９】財布ホルダーを図１に例を示す長財布で使用する場合，紙幣入れはその入り口が財布の他片で蓋をされるため紙幣入れの中に挿入されているホルダーベースは財布から簡単に脱落することは無い。また，図３に示す二つ折り財布の場合は，紙幣の出し入れ口には蓋構造は無く，紙幣の出し入れ側とは反対の底部中央に折り返し余裕を確保するための開口部７があるため，ホルダーベースのストラップ留めを，この開口部側に向けて挿入して開口部からストラップを取り出すことによって，ホルダーベースが紙幣入れから脱落することは無い。【００１０】上記説明するように，本考案による財布ホルダーは，多様な財布に適用が可能であり，いずれに対しても財布ホルダーが財布から脱落する危険は無く，着脱自在で，財布の滑り落ちによる紛失や，抜き取りによる盗難を完全に防止できる。
【実施例】
【００１１】以下に具体的な実施例を記述する。ホルダーベース２は軟質塩化ビニールを使用して，厚さは適度な強度を得るため０．３ｍｍとした。ホルダーベースの端部ならびにストラップ留め３の周辺はウエルダー加工により強度を補強した。ストラップ留めは長辺に沿って長辺の半分の領域に，等間隔で４個配列し，構造が最も簡単な穴形状を採用したが，穴ではなくホックなどを採用すればストラップの繋ぎが簡単になる。ストラップは１ｍｍ径の細紐を使用したが，紐径は強度が保たれるなら細いほど邪魔にならず好ましく，鎖などでも良い。ホルダーベースは７ｃｍ×１６ｃｍのサイズを採用したが，サイズはより小さくても実用は可能であるが，紙幣サイズに近い方が財布の紙幣入れ内での移動などが少なく安定する。ホルダーベースの材質は，薄く，軽く，折り曲げ易い材質であればビニール材に限定されるものではないなど，本考案は記述された実施例に限定されるものではなく，種々変形実施が可能である。
【図面の簡単な説明】
【００１２】
【図１】長財布に財布ホルダーを挿入した概観斜視図である。
【図２】ホルダーベースにストラップを取り付けた財布ホルダーの概観斜視図である。
【図３】二つ折り財布に財布ホルダーを挿入した概観斜視図である。
【符号の説明】
１長財布
２ホルダーベース
３ストラップ留め
４ストラップ
５ロック機構
６二つ折り財布
７折り返し余裕開口部
【図１】
0003128094.tif 000003
【図２】
0003128094.tif 000004
【図３】
0003128094.tif 000005